(57)【要約】【課題】  コネクタを低背化しても、コネクタのコンタクトと接続対象物とが安定して接続するコネクタを提供する。【解決手段】  コネクタ１は、ＦＰＣ１１と接続する第１のコンタクト３及び第２のコンタクト４と、各コンタクトを保持するハウジング２と、ＦＰＣとの接続位置と非接続位置との間で回転可能にハウジングに保持されるアクチュエータ５とから構成される。アクチュエータは、カム５ａを有する。第１のコンタクトは、接点３ｂ１が設けられている接触部と、接触部と対向し、カムに操作される枢支部とを有する。第２のコンタクトは、接点４ａ１が設けられている接触部４ａと、この接触部と対向する当接部４ｂとを有する。コネクタとＦＰＣとが接続する際、当接部は第１のコンタクトの接点と協働してＦＰＣを挟持する。【選択図】  図７
2006147491.tif 000002
【特許請求の範囲】
【請求項１】
コネクタは、接続対象物と接続する第１のコンタクト及び第２のコンタクトと、前記第１のコンタクト及び前記第２のコンタクトを保持するハウジングと、前記接続対象物との接続位置と非接続位置との間で移動可能に前記ハウジングに保持されるアクチュエータとから構成され、
前記アクチュエータは、カムを有し、
前記第１のコンタクトは、接点が設けられている接触部と、前記接触部と対向し、前記カムに操作される枢支部とを有し、
前記第２のコンタクトは、接点が設けられている接触部と、当該接触部と対向する当接部とを有し、
前記接続対象物と接続する際、前記当接部は前記第１のコンタクトの接点と協働して前記接続対象物を挟持することを特徴とするコネクタ。
【請求項２】
前記第１のコンタクトは、前記接触部と前記枢支部とに連続する連結部を有し、前記連結部は弾性変形可能であることを特徴とする請求項１記載のコネクタ。
【請求項３】
前記第２のコンタクトの接点は前記カムと対向するように配置されていることを特徴とする請求項１記載のコネクタ。
【発明の詳細な説明】
【技術分野】
【０００１】
本発明は、フレキシブル基板（ＦＰＣ）等と接続するコネクタのコンタクト構造に関する。
【背景技術】
【０００２】
従来のフレキシブル基板等と接続するコネクタについて説明する（例えば、特許文献１参照。）。
【０００３】
図１０と図１１に示されるように、コネクタ２１のハウジング２２には、多数の第１のコンタクト２３が一定のピッチで紙面に直交する方向に１列に保持され、また、多数の第２のコンタクト２４も一定のピッチで紙面に直交する方向に１列に保持されている。また、ハウジング２２には、アクチュエータ２５が９０度の範囲で回転可能に保持されている。図１０はアクチュエータ２５の開放状態を、図１１はアクチュエータ２５の閉鎖状態を、それぞれ示す。
【０００４】
第１のコンタクト２３は、弾性変形可能な枢支部２３ａと、枢支部２３ａと対向する接触部２３ｂと、枢支部２３ａ及び接触部２３ｂに連続する連結部２３ｃと、連結部２３ｃに連続し、ハウジング２２に固定される固定部２３ｄと、連結部２３ｃに連続する端子部２３ｅとから一体に構成される。
【０００５】
枢支部２３ａと接触部２３ｂとは、二股状に形成され、枢支部２３ａの先端付近には、アクチュエータ２５の先端のカム２５ａが係合する係合凹所２３ａ１が設けられ、接触部２３ｂの先端付近には、ＦＰＣ３１と接続する接点２３ｂ１が設けられる。アクチュエータ２５の先端のカム２５ａの付近に、凹所２５ｂが設けられる。図１０は、ＦＰＣ３１がコネクタ２１に挿入された状態を示す。
【０００６】
図１０の状態において、アクチュエータ２５を図１１の状態まで９０度左回転する。すると、カム２５ａが枢支部２３ａを矢印方向に押し上げるので、接触部２３ｂの接点２３ｂ１はＦＰＣ３１を矢印方向に押圧する。この結果、ＦＰＣ３１が当接するハウジング２２は、応力を受ける。
【０００７】
この種のコネクタは、他の文献にも記載されている（例えば、特許文献２参照。）。
【０００８】
【特許文献１】特開平９−９７６５５号公報（第３頁第３欄第１２行〜第４欄第４１行、図１〜５）
【特許文献２】特開２００１−７６７９４号公報
【発明の開示】
【発明が解決しようとする課題】
【０００９】
近年、コネクタの小型化の一環として低背化する要求がされているが、コネクタの低背化の一要素としてハウジング（インシュレータ）を薄く構成すると、応力を受けるインシュレータの部分が変形する。前記従来のコネクタでは、コネクタのコンタクトとＦＰＣ等の接続対象物との接続が不安定になるという欠点が、生じる。
【００１０】
そこで、本発明は、前記従来のコネクタの欠点を改良し、コネクタを低背化しても、コネクタのコンタクトとＦＰＣ等の接続対象物とが安定して接続するコネクタを提供しようとするものである。
【課題を解決するための手段】
【００１１】
本発明は、前記課題を解決するため、次の手段を採用する。
【００１２】
１．コネクタは、接続対象物と接続する第１のコンタクト及び第２のコンタクトと、前記第１のコンタクト及び前記第２のコンタクトを保持するハウジングと、前記接続対象物との接続位置と非接続位置との間で移動可能に前記ハウジングに保持されるアクチュエータとから構成され、前記アクチュエータは、カムを有し、前記第１のコンタクトは、接点が設けられている接触部と、前記接触部と対向し、前記カムに操作される枢支部とを有し、前記第２のコンタクトは、接点が設けられている接触部と、当該接触部と対向する当接部とを有し、前記接続対象物と接続する際、前記当接部は前記第１のコンタクトの接点と協働して前記接続対象物を挟持するコネクタ。
【００１３】
２．前記第１のコンタクトは、前記接触部と前記枢支部とに連続する連結部を有し、前記連結部は弾性変形可能である前記１記載のコネクタ。
【００１４】
３．前記第２のコンタクトの接点は前記カムと対向するように配置されている前記１記載のコネクタ。
【発明の効果】
【００１５】
明細書の説明から明らかなように、本発明は、次の効果を奏する。
【００１６】
１．従来のコネクタと対比して、本発明のコネクタは、部品点数が増加せずに、コネクタの低背化を図ることができる。
【００１７】
２．第１のコンタクトの接点が接続対象物を押圧する力を、第２のコンタクトの当接部が受けるので、ハウジングはわずかしか変形しない。したがって、コネクタの各コンタクトと接続対象物とは、安定して接続する。
【発明を実施するための最良の形態】
【００１８】
本発明の一実施例のコネクタについて説明する。
【実施例１】
【００１９】
本発明の実施例１のＦＰＣと接続するコネクタについて図１〜図９を参照して説明する。
【００２０】
図１は、コネクタ１の斜視図である。コネクタ１のハウジング２には、多数の第１のコンタクト３が一定のピッチで１列に保持され、また、多数の第２のコンタクト４も一定のピッチで１列に保持されている。また、ハウジング２には、アクチュエータ５が所要の角度範囲で回転可能に保持されている。アクチュエータ５は、開放状態に位置する。
【００２１】
図２は、アクチュエータ５の一部が破断されて示されるコネクタ１の斜視図である。第１のコンタクト３の枢支部は、露出されている。ハウジング２には、ＦＰＣ１１（図３等参照）が挿入される挿入口２ａが設けられている。
【００２２】
図３は、ＦＰＣ１１がコネクタ１に挿入された後に、アクチュエータ５が閉鎖された状態の斜視図である。この状態では、各コンタクト３，４の接触部は、ＦＰＣ１１に圧接する。
【００２３】
図４は、第１のコンタクト３の全体を見ることができる位置におけるコネクタ１の断面図である。アクチュエータ５は、開放状態に位置する。
【００２４】
第１のコンタクト３は、枢支部３ａと、枢支部３ａと対向する接触部３ｂと、枢支部３ａ及び接触部３ｂに連続する弾性変形可能な連結部３ｃと、連結部３ｃに連続し、ハウジング２に固定される固定部３ｄと、固定部３ｄに連続する端子部３ｅとから一体に構成される。
【００２５】
枢支部３ａと接触部３ｂとは、二股状に形成され、枢支部３ａの先端付近には、アクチュエータ５のカム５ａが係合する係合凹所３ａ１が設けられ、接触部３ｂの先端付近には、ＦＰＣ１１と接続する接点３ｂ１が設けられる。ＦＰＣ１１がコネクタ１に挿入されると、図６に示されるように、ＦＰＣ１１は枢支部３ａと接触部３ｂの接点３ｂ１とによって挟持される。
【００２６】
図５は、第２のコンタクト４の全体を見ることができる位置におけるコネクタ１の断面図である。アクチュエータ５は、開放状態に位置する。
【００２７】
第２のコンタクト４は、接触部４ａと、接触部４ａと対向する当接部４ｂと、接触部４ａ及び当接部４ｂと連続し、ハウジング２に固定される固定部４ｃと、接触部４ａの途中から二股状に伸延する端子部４ｄとから一体に構成される。接触部４ａの二股分岐部から先端側は、弾性変形可能である。
【００２８】
接触部４ａは、第１のコンタクト３の枢支部３ａに対向して位置する。ただし、第１のコンタクト３と第２のコンタクト４とは、ハウジング２に交互に取り付けられ、厳密にいえば、ずれて千鳥状に位置する。また、当接部４ｂは、第１のコンタクト３の接触部３ｂに対向して位置する。これも同様に、厳密にいえば、ずれて千鳥状に位置する。接触部４ａの先端付近には、ＦＰＣ１１と圧接する接点４ａ１が設けられる。接点４ａ１は、カム５ａに対向するように配置される。ＦＰＣ１１がコネクタ１に挿入されると、図７に示されるように、ＦＰＣ１１は当接部４ｂと接触部４ａの接点４ａ１とによって挟持される。
【００２９】
図８は、図６においてアクチュエータ５が左回転して閉鎖した状態を示す。アクチュエータ５のカム５ａが第１のコンタクト３の枢支部３ａを押し上げることによって、枢支部３ａに連動して接触部３ｂの接点３ｂ１がＦＰＣ１１に圧接する。
【００３０】
図９は、図７においてアクチュエータ５が左回転して閉鎖した状態を示す。アクチュエータ５のカム５ａが左回転するとき、ＦＰＣ１１を押し下げる。すると、ＦＰＣ１１が第２のコンタクト４の接点４ａ１を押すので、接触部４ａは図７の位置から図９の位置まで弾性変形する。図９の状態では、第２のコンタクト４の当接部４ｂは、第１のコンタクト３の接点３ｂ１と協働してＦＰＣ１１を挟持している。また、第１のコンタクト３の接点３ｂ１と第２のコンタクト４の接点４ａ１とは、ＦＰＣ１１に確実に接続している。
【００３１】
なお、第２のコンタクト４の当接部４ｂとハウジング２の内壁の当接部とが同一面を構成すると、ハウジング２の内壁の当接部は一層わずかしか変形しない。
【００３２】
本実施例１では、アクチュエータ５は、ハウジング２に回転可能に保持されるが、直線運動可能に保持されるように設計変更することもできる。
【００３３】
また、接続対象物がＦＰＣであるが、フレキシブル・フラット・ケーブル（ＦＦＣ）等にも、本発明は、適用可能である。
【図面の簡単な説明】
【００３４】
【図１】本発明の実施例１のコネクタの斜視図である。
【図２】アクチュエータの一部が破断されて示される同コネクタの斜視図である。
【図３】ＦＰＣが同コネクタに挿入された後に、同アクチュエータが閉鎖された状態の斜視図である。
【図４】第１のコンタクトの全体を見ることができる位置における同コネクタの断面図である。
【図５】第２のコンタクトの全体を見ることができる位置における同コネクタの断面図である。
【図６】図４に示される同コネクタに同ＦＰＣが挿入された状態の断面図である。
【図７】図５に示される同コネクタに同ＦＰＣが挿入された状態の断面図である。
【図８】図６において同アクチュエータが閉鎖された後の状態の断面図である。
【図９】図７において同アクチュエータが閉鎖された後の状態の断面図である。
【図１０】従来のコネクタにＦＰＣが挿入され、アクチュエータが開放された状態の断面図である。
【図１１】同コネクタに同ＦＰＣが挿入され、同アクチュエータが閉鎖された状態の断面図である。
【符号の説明】
【００３５】
１  コネクタ
２  ハウジング
２ａ  挿入口
３  第１のコンタクト
３ａ  枢支部
３ａ１  係合凹所
３ｂ  接触部
３ｂ１  接点
３ｃ  連結部
３ｄ  固定部
３ｅ  端子部
４  第２のコンタクト
４ａ  接触部
４ａ１  接点
４ｂ  当接部
４ｃ  固定部
４ｄ  端子部
５  アクチュエータ
５ａ  カム
１１  ＦＰＣ
【図１】
2006147491.tif 000003
【図２】
2006147491.tif 000004
【図３】
2006147491.tif 000005
【図４】
2006147491.tif 000006
【図５】
2006147491.tif 000007
【図６】
2006147491.tif 000008
【図７】
2006147491.tif 000009
【図８】
2006147491.tif 000010
【図９】
2006147491.tif 000011
【図１０】
2006147491.tif 000012
【図１１】
2006147491.tif 000013